(57)【要約】【課題】  本発明の目的は、建築現場等の高い場所でねじ締め作業を行なうとき、相手材とねじが使用者の死角にある場合でも作業を行なうことが可能な、使いやすい携帯用工具を提供することである。【解決手段】  モータ２０と、該モータ２０によって回転駆動され、先端工具が取り付けられる出力軸２２と、該モータ２０及び該出力軸２２を収容する外枠と、該外枠の該出力軸２２周辺を覆うカバー１０とを備えた携帯用工具において、該カバー１０の形状を先端工具側に向かうに従って徐々に外形が小さくなるように形成し、該カバー１０の表面に鏡面状のめっき層を設けた。【選択図】  図１
2006315132.tif 000002
【特許請求の範囲】
【請求項１】
モータと、
該モータによって回転駆動され、先端工具が取り付けられる出力軸と、
該モータ及び該出力軸を収容する外枠と、
該外枠の該出力軸周辺を覆うカバーと、
を備えた携帯用工具において、
該カバーの形状を先端工具側に向かうに従って徐々に外形が小さくなるように形成し、該カバーの表面に鏡面状のめっき層を設けたことを特徴とする携帯用工具。
【請求項２】
モータと、
該モータによって回転駆動され、先端工具が取り付けられる出力軸と、
該モータを収容する外枠である胴体部と、
該胴体部に連設され、該出力軸を収容する外枠であるケースと、
を備えた携帯用工具において、
該ケースの形状を先端工具側に向かうに従って徐々に外形が小さくなるように形成し、該ケースの表面に鏡面状のめっき層を設けたことを特徴とする携帯用工具。
【請求項３】
該先端工具を照射可能なライトを設けたことを特徴とする請求項１又は請求項２記載の携帯用工具。
【請求項４】
該胴体部に貼り付けられるネームプレートの表面に鏡面状のめっき層を設けたことを特徴とする請求項１乃至請求項３のいずれか一に記載の携帯用工具。
【請求項５】
該モータによって回転駆動され、先端工具が取り付けられる出力軸と、
該モータを収容する外枠である胴体部と
を備えた携帯用工具において、
該胴体部に貼り付けられるネームプレートの表面に鏡面状のめっき層を設けたことを特徴とする携帯用工具。
【発明の詳細な説明】
【技術分野】
【０００１】
本発明は、ねじを締めるためのドリルや穴を開けるためのドリルなどの携帯用工具に関するものである。
【背景技術】
【０００２】
建築現場におけるねじ締め作業には、足場が不安定な高い場所でも使いやすいインパクトドライバのような携帯用動力工具（以下、携帯用工具と称す）が広く用いられている。特許文献１に記載されているような暗い場所でも使いやすいライトを備えた携帯用工具や、特許文献２や特許文献３に記載されているような、蓄光材を表面に塗布した製造者マークや蓄光材を混合して形成された部材が自発光することにより、暗い場所でも見つけやすい携帯用工具が発明されている。
【０００３】
【特許文献１】特開２００３−２１１３７４号公報
【特許文献２】特開２００１−１３８２６９号公報
【特許文献３】特開２００４−２３７４２１号公報
【発明の開示】
【発明が解決しようとする課題】
【０００４】
建築現場の高い場所でねじ締め作業を行なうとき、相手材とねじが作業者の死角にある場合は、携帯用工具が届く範囲にあったとしても、作業者が目視できる位置に足場を設けなければならず、効率が悪い。
【０００５】
又、暗い場所で作業を行なうとき、従来のライト付き電動工具はライトが小形で照射範囲が狭いために、相手材を確認しにくいという問題があった。また、蓄光材は蓄光量を保つために調色ができず、明るい場所では材料の色そのものが見えてしまうために、意匠性が低いという欠点があった。
【０００６】
本発明の目的は、上記問題を解決するために、高い場所や暗い場所で使いやすく、意匠性が高い携帯用工具を提供することにある。
【課題を解決するための手段】
【０００７】
上記目的を達成するため、請求項１記載の発明は、モータと、該モータによって回転駆動され、先端工具が取り付けられる出力軸と、該モータ及び該出力軸を収容する外枠と、該外枠の該出力軸周辺を覆うカバーと、を備えた携帯用工具において、該カバーの形状を先端工具側に向かうに従って徐々に外形が小さくなるように形成し、該カバーの表面に鏡面状のめっき層を設けたことを特徴とする。
【０００８】
請求項２記載の発明は、モータと、該モータによって回転駆動され、先端工具が取り付けられる出力軸と、該モータを収容する外枠である胴体部と、該胴体部に連設され、該出力軸を収容する外枠であるケースと、を備えた携帯用工具において、該ケースの形状を先端工具側に向かうに従って徐々に外形が小さくなるように形成し、該ケースの表面に鏡面状のめっき層を設けたことを特徴とする。
【０００９】
請求項３記載の発明は、該先端工具を照射可能なライトを設けたことを特徴とする。
【００１０】
請求項４記載の発明は、該胴体部に貼り付けられるネームプレートの表面に鏡面状のめっき層を設けたことを特徴とする。
【００１１】
請求項5記載の発明は、該モータによって回転駆動され、先端工具が取り付けられる出力軸と、該モータを収容する外枠である胴体部とを備えた携帯用工具において、該胴体部に貼り付けられるネームプレートの表面に鏡面状のめっき層を設けたことを特徴とする。
【発明の効果】
【００１２】
請求項１又は請求項２記載の発明によれば、携帯用工具の外枠の出力軸周辺を覆うカバー又は出力軸を収容する外枠であるハンマケースの表面に鏡面状のめっき層を有しているため、高い場所で相手材とねじが作業者の死角にある場合でも、携帯用工具が届く範囲ならば、カバー又はハンマケース表面の鏡面状のめっき層に相手材とねじを反映させることができ、目視できる位置に足場を設けなくてもねじ締め作業を行なうことができて、効率が良い。さらに、カバー又はケースの形状を先端工具側に向かうに従って、徐々に形状が小さくなるように形成しているので、前後逆に持って使用する場合、ねじの像が作業者側に反射するので作業性がよい。
【００１３】
請求項３記載の発明によれば、先端工具を照射するライトを設けたため、暗い場所でライトを照射したとき、外枠の出力軸周辺を覆うカバー又は出力軸を収容する外枠であるハンマケース表面の鏡面状のめっき層がライトを反射し、相手材のより広い範囲を照らすことができて、作業しやすい。
【００１４】
請求項４又は5記載の発明によれば、外枠の出力軸周辺を覆うカバー又は出力軸を収容する外枠であるケースの表面に鏡面状のめっき層を有し、且つ製造者マークや形名等がネームプレートの表面に鏡面状のめっき層を有しているため、意匠性が高く店舗等で購買者の注意を引き付けることができる。
【発明を実施するための最良の形態】
【００１５】
以下に本発明の実施の形態を添付図面に基づいて説明する。
【００１６】
図１は本発明の実施の形態に係るインパクトドライバの側面図、図２は同インパクトドライバのカバー無しの側面図、図３は同インパクトドライバの全体構造断面図、図４は同インパクトドライバの使用状態を示す平面図、図５は同インパクトドライバの使用状態を示す側面図、図６は本発明の他の実施形態に係るインパクトドライバの側面図である。
【００１７】
本発明の実施の形態に係るインパクトドライバ１の外観について、図１を参照しながら説明する。
インパクトドライバ１は、胴体部２、該胴体部２から角度をもって下方に延びたハンドル部３、該胴体部２及び該ハンドル部３を形成するハウジング４、該ハンドル部３の下端部に着脱可能に取付けられた電池パック５、ハンドル部３の上方に設けられたトリガスイッチ６、該胴体部２の前端（図１の左方）に位置する先端工具保持部７、該先端工具保持部７に取付けられた先端工具８、該胴体部２に該先端工具保持部７の方向からねじ等によって取付けられたハンマケース９、該ハンマケース９を覆うカバー１０、該カバー１０を固定するキャップ１１、該胴体部２の側面に両面テープ等で貼り付けられたネームプレート１２、該ハンドル部３の下端部に上下方向の任意の角度で固定可能に取付けられたライト１３から構成されている。なお、該ハンマケース９は特許請求の範囲に記載されたケースに該当する。
【００１８】
該ハンマケース９及び該カバー１０及び該ネームプレート１２は、表面にニッケル−クロムめっき等の鏡面状のめっき層を有する。
【００１９】
又、該ライト１３は図示しない電池及びを収容し、側面に設けられたオンスイッチ１３Ａを押すと先端部（図１の左方）に設けられた図示しない発光ダイオードが点灯し、オフスイッチ１３Ｂを押すと消灯する。
【００２０】
インパクトドライバ１の内部構造について、図３を参照しながら説明する。
【００２１】
インパクトドライバ１は、先端工具保持部７を有する出力軸２２と、出力軸２２を回転駆動させるモータ２０と、モータ２０を制御するためのトリガスイッチ６と、出力軸２２を収容する外枠であるハンマケース９と、モータ２０及びトリガスイッチ６を収容する外枠であるハウジング４とを備える。
【００２２】
ハウジング４は、モータ２０を収容する胴体部２と、トリガスイッチ６を収容し出力軸２２に対して角度をもって延びるハンドル部３とを形成する。ハンドル部３と胴体部２とはＴ字形状をなすように連設される。
【００２３】
電池パック５は、上部がハンドル部に挿入される上ケース５Ａと複数の電池セル１４を収容する下ケース５Ｂと、により構成されている。
【００２４】
下ケース５Ｂの前方（図３の右方）の側面には、バネ１５で支持された操作片１６が設けられており、これを押すと操作片１６の上端に設けられた係合部１７がハンドル部３の下方に設けられたハウジング係合部１９に係合するように構成されている。
【００２５】
上ケース５Ａの上端部にはターミナル１８が設けられている。電池セル１４の電圧は、周知の如く、ターミナル１８から、スイッチ６等を介してインパクトドライバ１の胴体部２内に収容されたモータ２０に印加される。
【００２６】
モータ２０は出力軸２２と平行に設けられ、モータ２０の回転力は減速部２１を経て出力軸２２に伝達される。スイッチ６を後方（図３の左方）に引くとモータ２０に電力が供給され出力軸２２が回転を始める。
【００２７】
カバー１０又はハンマケース９表面の鏡面状のめっき層による作業性の向上について説明する。
【００２８】
図１及び図３に示すように、カバー１０はインパクトドライバ１の外枠の出力軸２２周辺を覆い、ケース９は出力軸を収容するように設けられ、先端工具８の方向に先細る形で傾斜しており（即ち、カバー又はハンマケースの形状を先端工具側に向かうに従って、徐々に外形が小さくなるように形成しており）、表面にニッケル−クロムめっき等の鏡面状のめっき層を有している。
【００２９】
図４は、建築物の高い場所等で作業者２３がインパクトドライバ１を用いて死角にある相手材２５にねじ締めを行なう場合を示している。このような場合、先端工具８がねじ２６の方向を向くようにハンドル部３をインパクトドライバ１の前方（図４の下方）から把持し、カバー１０又はハンマケース９の形状が先端工具保持部側に向かうに従って徐々に外形が小さくなるように形成されていることから、カバー１０又はハンマケース９表面の鏡面状のめっき層にねじ２６を反映される。これにより、死角にあるねじ２６でも目視することができ、直接目視できる位置に足場２４を設ける必要がなくなる。なお、２７はねじの反映方向を示す線である。
【００３０】
また、図２にカバー１０無しの別の実施の形態を示すが、この実施の形態においては、カバー１０を固定するキャップ１１がない分、めっき層の面積が大きくなり、また、出力軸に対する鏡面の角度が大きくなるため、より広範囲に像を反映させることができる。よって様々な作業条件に適用することができる。
【００３１】
図５は、暗い場所等でインパクトドライバ１を用いて相手材２５にねじ締めを行なう場合を示している。ライト１３の角度は、先端工具８の先端がライト１３の照射範囲２８のほぼ中央に位置するように設定されている。カバー１０は先端工具保持部７の近傍に配置されているので、カバー１０の下部がライト１３の照射範囲２８に含まれることになる。これにより、ライト１３の光がカバー１０表面の鏡面状のめっき層で反射して高さＨの分だけ広がるので、照射範囲２８に加えて反射範囲２９にも照らすことができる。又、カバー１０はほぼ円筒形であるため、反射範囲２９は縦方向だけでなく横方向にも広くなる。よって相手材２５のより広い範囲が見えるため、作業しやすくなる。なお、カバー１０表面の鏡面状のめっき層がライト１３の先端より前方に位置にあればよい。
【００３２】
カバー１０及びネームプレート１２表面の鏡面状のめっき層による意匠性の向上について説明する。
【００３３】
図１に示すように、ネームプレート１２は胴体部２の側面に両面テープ等で貼り付けられ、形名を示す文字の表面にニッケル−クロムめっき等の鏡面状のめっき層を有している。ネームプレート１２は見る角度によっての表面に反射する光や反映する像が変わり、従来からある製造者マークや文字部のみに銀色等の光沢塗料を塗布したネームプレート１２に比べて、より高級感があり、人目を引く外観となる。
【００３４】
カバー１０表面の鏡面状のめっき層にも同様の効果があるため、インパクトドライバ１は図１の角度から見て胴体部２の約５０％に鏡面状のめっき層を有することになり、店舗等で購買者の注意を引き付けることができる。
【００３５】
又、図６に示すように、カバー１０の表面に凹凸を設けると、滑り止めとして作用するので、操作性が向上する。ただし死角にあるねじを反映させやすくするためには図１の実施の形態のほうが適している。
【００３６】
本発明はインパクトドライバ１に限らず、様々な携帯用工具に適用することができる。
【図面の簡単な説明】
【００３７】
【図１】本発明の実施形態に係るインパクトドライバの側面図
【図２】本発明の実施形態に係るインパクトドライバのカバー無しの側面図
【図３】本発明の実施形態に係るインパクトドライバの全体構造断面図
【図４】本発明の実施形態に係るインパクトドライバの使用状態を示す平面図
【図５】本発明の実施形態に係るインパクトドライバの使用状態を示す側面図
【図６】本発明の他の実施形態に係るインパクトドライバの側面図
【符号の説明】
【００３８】
１はインパクトドライバ、２は胴体部、３はハンドル部、４はハウジング、５は電池パック、５Ａは上ケース、５Ｂは下ケース、６はトリガスイッチ、７は先端工具保持部、８は先端工具、９はハンマケース、１０はカバー、１１はキャップ、１２はネームプレート、１３はライト、１３Ａはオンスイッチ、１３Ｂはオフスイッチ、１４は電池セル、１５はスプリング、１６は操作片、１７は係合部、１８はターミナル、１９はハウジング係合部、２０はモータ、２１は減速部、２２は出力軸、２３は使用者、２４は足場、２５は相手材、２６はねじ、２７はねじの反映方向を示す線、２８はライトの照射範囲を示す線、２９はライトの反射範囲を示す線。
【図１】
2006315132.tif 000003
【図２】
2006315132.tif 000004
【図３】
2006315132.tif 000005
【図４】
2006315132.tif 000006
【図５】
2006315132.tif 000007
【図６】
2006315132.tif 000008